(57)【要約】【課題】  フィッティングのよい履物を提供する。【解決手段】  履物は、履口の踵側に配置されたカウンターと、カウンターの上部に設けられた切り欠き部と、切り欠き部の間隔を調整する調整手段とを有する。調整手段は、例えば、切り欠き部を跨いで設けられたベルトであり、切り欠き部の間隔は、ベルトの長さによって調整される。このような履物は、例えば、既存の履物の踵側のカウンターの上部に切り欠き部を設ける工程と、切り欠き部の間隔を調整する調整ベルトを、カウンターに設ける工程とによって、製造される。【選択図】図１
2011160898.tif 000002
【特許請求の範囲】
【請求項１】
履口の踵側に配置されたカウンターと、
前記カウンターの上部に設けられた切り欠き部と、
前記切り欠き部の間隔を調整する調整手段と
を有する履物。
【請求項２】
前記調整手段は、前記切り欠き部を跨いで設けられたベルトであり、
前記切り欠き部の間隔は、前記ベルトの長さによって調整される
請求項１に記載の履物。
【請求項３】
前記切り欠き部は、前記カウンターの上部に複数設けられてなる
請求項１に記載の履物。
【請求項４】
前記切り欠き部は、柔軟素材により繋ぎ合わされてなる
請求項１に記載の履物。
【請求項５】
踵側のカウンターの上部に切り欠き部を設ける工程と、
前記切り欠き部の間隔を調整する調整ベルトを、前記カウンターに設ける工程と
を有する履物加工方法。
【発明の詳細な説明】
【技術分野】
【０００１】
本発明は、履物に関するものである。
【背景技術】
【０００２】
例えば、特許文献１には、シューズのアッパーの踵部にヒールカウンタを備えたシューズにおいて、前記ヒールカウンタが、シューズ着用者の足の踵骨の下部に対応する位置において踵骨下部の周りに配設され、シューズの外甲側及び内甲側においてそれぞれ実質的に前後方向に延びる下部サポート部と、シューズ着用者の足の踵骨の上部に対応する位置において踵骨上部の周りに配設され、シューズの外甲側及び内甲側においてそれぞれ実質的に前後方向に帯状に延びる上部サポート部と、下部サポート部及び上部サポート部とを上下方向に連結する連結部と、下部サポート部及び上部サポート部を上下方向に分離するように、下部サポート部及び上部サポート部の間に形成されるとともに、その底部が連結部まで延びる切り欠きとから構成されているヒールカウンタを備えたシューズが開示されている。
【先行技術文献】
【特許文献】
【０００３】
【特許文献１】特開２００８−２０６６２９号公報
【発明の概要】
【発明が解決しようとする課題】
【０００４】
本発明は、足へのフィット感を高めることができる履物を提供する。
【課題を解決するための手段】
【０００５】
本発明に係る履物は、履口の踵側に配置されたカウンターと、前記カウンターの上部に設けられた切り欠き部と、前記切り欠き部の間隔を調整する調整手段とを有する。
【０００６】
好適には、前記調整手段は、前記切り欠き部を跨いで設けられたベルトであり、前記切り欠き部の間隔は、前記ベルトの長さによって調整される。
【０００７】
好適には、前記切り欠き部は、前記カウンターの上部に複数設けられてなる。
【０００８】
好適には、前記切り欠き部は、柔軟素材により繋ぎ合わされてなる。
【０００９】
また、本発明に係る履物加工方法は、踵側のカウンターの上部に切り欠き部を設ける工程と、前記切り欠き部の間隔を調整する調整ベルトを、前記カウンターに設ける工程とを有する。
【発明の効果】
【００１０】
本発明によれば、足へのフィット感を高めることができる。
【図面の簡単な説明】
【００１１】
【図１】パンプス１の背面図である。
【図２】調整前及び調整後のカウンター１０を上側から見た模式図である。
【図３】変形例１におけるパンプス２の背面部である。
【図４】変形例２におけるパンプス３の背面部である。
【図５】履物加工方法３００を例示する図である。
【発明を実施するための形態】
【実施例１】
【００１２】
図１は、パンプス１の背面図である。なお、本図では、左足用のパンプス１を表わしているが、左足用と右足用とは略左右対称であり、右足用においても、左足用と同様の構成を採用する。
図１に例示するように、パンプス１は、踵部において、カウンター１０と、ベルト２０とを有する。なお、パンプス１は、履物の一例である。本発明に係る履物は、パンプスに限定するものではなく、少なくともカウンターを有するものであれば、何でもよい。
【００１３】
カウンター１０は、履口の踵側に配置され、上部に切り欠き部１２を設けられている。切り欠き部１２は、カウンター１０を貫通して、形成される。切り欠き部１２の形状は、特に限定するものではないが、略三角形であることが好ましい。切り欠き部１２の形状を略三角形に形成することにより、切り欠き部１２をベルト２０により締め付けたときのカウンター１０の形状が、足の踵の形状にフィットしやすい。
本例では、切り欠き部１２は、略三角形に形成されている。この場合の切り欠き部１２の高さＡは、１５ｍｍ以上５０ｍｍ以下であることが好ましく、２５ｍｍであれば好適である。また、切り欠き部１２の角度θは、８°以上２５°以下であることが好ましく、１２°であれば好適である。
【００１４】
ベルト２０は、少なくとも切り欠き部１２を跨ぐ位置に設けられ、カウンター１０を締め付ける。
本例では、ベルト２０は、略水平方向に切り欠き部１２を跨いで、パンプス１の踵部の両端に逢着などにより接合されている。そして、ベルト２０は、図示しない調節金具により長さを調節され、カウンター１０を締め付ける。
なお、ベルト２０は、切り欠き部１２の間隔を調整する調整手段の一例である。本発明に係る調整手段は、ベルトに限定するものではなく、少なくともカウンター１０を締め付けるものであれば、何でもよい。例えば、調整手段は、湾曲に形成され、切り欠き部１２を跨いでカウンター１０に嵌め込み可能な弾性部材であってもよい。
また、ベルト２０が設けられる位置は、少なくとも切り欠き部１２を跨ぐ位置であればよいが、カウンター１０の上端部であれば好適である。すなわち、本例では、踵部分の上半分の領域の中間位置に設けられているが、ベルト２０の上端部が踵側履き口（トップライン）に沿うように配置されるのがより好ましい。
【００１５】
図２は、調整前及び調整後のカウンター１０を上側から見た模式図である。なお、本図では、ベルト２０は、省略されている。
図２に例示するように、カウンター１０は、調整前は、足の踵にフィットしていない状態でも、切り欠き部１２により切り離されたカウンター１０の両端を摘まみ、変形させた調整後は、後方に鋭角になり、足の踵にフィットする。この状態にあるカウンター１０をベルト２０で締め付けることにより、足の踵は、切り欠き部１２により切り離されたカウンター１０の両端から締め付けられ、固定される。
【００１６】
以上説明した構成によれば、パンプス１は、カウンター１０により足の踵を固定することができる。これにより、パンプス１は、足へのフィット感を高めることができる。また、パンプス１は、足へのフィット感を高めることで、足の横ぶれを防止し、足の爪先がパンプス１の甲被により不自然に圧迫されて外反母趾になることを防止する。
【００１７】
［変形例１］
図３は、変形例１におけるパンプス２の背面部である。なお、本図では、左足用のパンプス２を表わしているが、左足用と右足用とは略左右対称であり、右足用においても、左足用と同様の構成を採用する。
図３に例示するように、パンプス２におけるカウンター１１０は、複数の切り欠き部１１２を有している。このように、複数の切り欠き部１１２を有することにより、カウンター１１０は、足の踵の形状に合わせ、より隙間なく足の踵にフィットする。なお、カウンター１１０が有する切り欠き部１１２の数は、踵の形状に応じて、任意に変更されればよい。
以上説明した構成によれば、パンプス２は、足へのフィット感をより高めることができる。
【００１８】
［変形例２］
図４は、変形例２におけるパンプス３の背面部である。なお、本図では、左足用のパンプス３を表わしているが、左足用と右足用とは略左右対称であり、右足用においても、左足用と同様の構成を採用する。
図４に例示するように、切り欠き部２１２は、柔軟素材により繋ぎ合わされている。柔軟素材は、カウンター２１０の足の踵へのフィットを阻害しない程度に柔軟なものであればよく、例えば、ゴム織布などであればよい。また、切り欠き部２１２を繋ぎ合わせている柔軟素材は、カウンター２１０を足の踵にフィットさせるとき、伸縮又は折り畳まれるなどして、パンプス３内に収納されればよい。
なお、切り欠き部２１２を柔軟素材により繋ぎ合わせる代わりに、切り欠き部２１２を設けられたカウンター２１０全体を、柔軟素材で包み込んでもよい。
【００１９】
以上説明した構成によれば、パンプス３は、足の踵を露出させないようにすることができる。
【００２０】
図５は、履物加工方法３００を例示する図である。
図５に例示するように、履物加工方法３００は、（ステップ１）カウンター１０の上部に切り欠き部１２を設ける工程と、（ステップ２）ベルト２０（調整部材）をカウンター１０に設ける工程とを有する。
より具体的には、（ステップ１）の工程では、カウンター１０から切り欠き断片４０を切り取り、切り欠き部１２を形成する。（ステップ２）の工程では、ベルト２０をカウンター１０の切り欠き部１２を跨ぐ位置に巻き付け、ベルト２０の両端を、履物の踵部に逢着などにより接合する。
なお、本例では、履物加工方法３００は、履物の一例であるパンプスの加工方法を示している。
【００２１】
以上説明した履物加工方法３００によれば、履物は、切り欠き部１２により切り離されたカウンター１０の両端を摘まみ、カウンター１０を足の踵にフィットさせる機能と、さらに足の踵にフィットした状態にあるカウンター１０を締め付け、足の踵を固定する機能とを有することができる。
【符号の説明】
【００２２】
１      パンプス
２      パンプス（変形例１）
３      パンプス（変形例２）
１０    カウンター
１２    切り欠き部
２０    ベルト
４０    切り欠き断片
１１０  カウンター（変形例１）
１１２  切り欠き部（変形例１）
１２０  ベルト（変形例１）
２１０  カウンター（変形例２）
２１２  切り欠き部（変形例２）
２２０  ベルト（変形例２）
３００  履物加工方法
【図１】
2011160898.tif 000003
【図２】
2011160898.tif 000004
【図３】
2011160898.tif 000005
【図４】
2011160898.tif 000006
【図５】
2011160898.tif 000007